(57)【要約】【課題】コネクタ全体の小型化の要請を満たしつつも十分なノイズの低減効果が得られ、伝送性能を向上させることが可能な構成のケーブルコネクタを提供する。【解決手段】ケーブルコネクタ１は、プラグ側コンタクト３２が同軸ケーブル１１の芯線１２に接続するとともにシェル部材３０を介して同軸ケーブル１１のシールド線１４にも接続するプラグ側コンタクト３２２を備え、レセプタクル側コンタクト６２がプラグ側保持部材２１とレセプタクル保持部材５１とが嵌合した状態においてプラグ側コンタクト３２２に接触するレセプタクル側信号用コンタクト６２２を備え、レセプタクル側コンタクト６２２は基板Ｂ上の接地端子に接続されている。【選択図】図１
2012114044.tif 000002
【特許請求の範囲】
【請求項１】
中央軸上に位置する信号線の周囲を第１絶縁被覆、シールド線、および第２絶縁被覆により取り囲んで形成される複数のケーブルの端部に取り付けられるプラグ側保持部材、前記プラグ側保持部材内に設けられ前記複数のケーブルそれぞれの信号線と接続する複数のプラグ側コンタクト、および前記プラグ側保持部材に設けられ前記ケーブルのシールド線と接続するシェル部材を備えるプラグコネクタと、
基板上に取り付けられるレセプタクル側保持部材、および前記レセプタクル側保持部材内に設けられた複数のレセプタクルコンタクトを備えるレセプタクルコネクタとを有して構成され、
前記レセプタクル側保持部材と前記プラグ側保持部材とを嵌合させたときに、前記プラグ側コンタクトと前記レセプタクル側コンタクトとが接触する構成のケーブルコネクタであって、
前記プラグ側コンタクトは、前記ケーブルの信号線のみに接続するプラグ側信号用コンタクトと、前記ケーブルの信号線に接続するとともに前記シェル部材を介して前記ケーブルのシールド線にも接続するプラグ側シールド用コンタクトとを備え、
前記レセプタクル側コンタクトは、前記プラグ側保持部材と前記レセプタクル保持部材とが嵌合した状態において、前記プラグ側信号用コンタクトに接触するレセプタクル側信号用コンタクトと、前記プラグ側シールド用コンタクトに接触するレセプタクル側シールド用コンタクトとを備え、
前記レセプタクル側信号用コンタクトは前記基板上の信号端子に接続され、前記レセプタクル側シールド用コンタクトは前記基板上の接地端子に接続されていることを特徴とするケーブルコネクタ。
【請求項２】
前記プラグ側コンタクトは、前記複数のプラグ側コンタクトの列に対して直交する方向に一方側から他方側へ向かって順に、前記ケーブルの信号線に接続する接合部と、前記プラグ側保持部材に保持された固定部と、前記レセプタクル側コンタクトと接触可能な接触部とが一体に形成されており、
前記プラグ側シールド用コンタクトは、前記接合部から一方側へ向かって延びる延出部を備え、前記延出部が前記シェル部材の一方側端部に突出形成される接続片に接合されることにより前記ケーブルのシールド線に接続されることを特徴とする請求項１に記載のケーブルコネクタ。
【発明の詳細な説明】
【技術分野】
【０００１】
本発明は、例えば極細線の同軸ケーブルを接続するケーブルコネクタに関する。
【背景技術】
【０００２】
上記同軸ケーブルは、一般的に、一本の電線中に２つの導電路たる信号線とシールド線（シールド層とも称する）とを配列させて構成される。具体的には、中心軸線上に信号線を配列し、軸線から半径方向順番に信号線と同心円状の絶縁体、網状のシールド線、被覆絶縁体を配列して形成されている。このような同軸ケーブルを電子機器（基板）と接続するために使用されるコネクタは、同軸ケーブルの端部に取り付けられたプラグコネクタと、基板上に取り付けられたレセプタクルコネクタとからなり、これら両コネクタを嵌合させて互いのコンタクト同士を接触させる構成になっている（例えば、特許文献１を参照）。
【０００３】
プラグコネクタにおいては、同軸ケーブルの信号線が接続されるプラグ側コンタクト、このコンタクトを保持する絶縁材料性の保持部材、保持部材の上下底部を覆うように設けられた金属製のシェル部材、および保持部材内に設けられてシェル部材に接続されるとともに同軸ケーブルのシールド線が接続されるグランド部材を主体に構成される。一方、相手側のレセプタクルコネクタは、レセプタクル側コンタクト、このコンタクトを保持する絶縁材料性の保持部材、および保持部材の上下底部を覆うように設けられた金属製のシールド部材を主体に構成される。
【０００４】
このような構成のコネクタでは、プラグコネクタがレセプタクルコネクタに嵌合した状態において、プラグ側コンタクトがレセプタクル側コンタクトに接続されて電気信号が導通可能になるとともに、シールド部材がシェル部材を介してグランド部材に接続されてノイズを低減し得る電磁シールド機能を奏している。
【先行技術文献】
【特許文献】
【０００５】
【特許文献１】特開２００２−１５８１８号公報
【発明の概要】
【発明が解決しようとする課題】
【０００６】
近年、この種のコネクタにおいては、電子機器の小型化に伴い、より一層の小型化の要求が強くなってきているが、コネクタサイズが小さくなるとコンタクト同士の間隔も狭小化され、コンタクト間に発生するクロストークなどのノイズの問題が顕著となってくる。このようにコネクタの小型化を図る場合には、プラグコネクタのシェル部材とレセプタクルコネクタのシールド部材とのグランド接続のポイント数を十分に確保することができなくなり、ノイズ障害を適正に防止することが困難になるという課題がある。
【０００７】
本発明は、このような課題に鑑みてなされたものであり、コネクタ全体の小型化の要請を満たしつつも十分なノイズの低減効果が得られ、伝送性能を向上させることが可能な構成のケーブルコネクタを提供することを目的とする。
【課題を解決するための手段】
【０００８】
上記目的を達成するため、本発明に係るケーブルコネクタは、中央軸上に位置する信号線の周囲を第１絶縁被覆、シールド線、および第２絶縁被覆により取り囲んで形成される複数のケーブル（例えば、実施形態における同軸ケーブル１１）の端部に取り付けられるプラグ側保持部材、プラグ側保持部材内に設けられ複数のケーブルそれぞれの信号線（例えば、実施形態における芯線１２）と接続する複数のプラグ側コンタクト、およびプラグ側保持部材に設けられケーブルのシールド線と接続するシェル部材を備えるプラグコネクタと、基板上に取り付けられるレセプタクル側保持部材、およびレセプタクル側保持部材内に設けられた複数のレセプタクルコンタクトを備えるレセプタクルコネクタとを有して構成され、レセプタクル側保持部材とプラグ側保持部材とを嵌合させたときに、プラグ側コンタクトとレセプタクル側コンタクトとが接触する構成のケーブルコネクタであって、プラグ側コンタクトは、ケーブルの信号線のみに接続するプラグ側信号用コンタクトと、ケーブルの信号線に接続するとともにシェル部材を介してケーブルのシールド線にも接続するプラグ側シールド用コンタクトとを備え、レセプタクル側コンタクトは、プラグ側保持部材とレセプタクル保持部材とが嵌合した状態において、プラグ側信号用コンタクトに接触するレセプタクル側信号用コンタクトと、プラグ側シールド用コンタクトに接触するレセプタクル側シールド用コンタクトとを備え、レセプタクル側信号用コンタクトは基板上の信号端子に接続され、レセプタクル側シールド用コンタクトは基板上の接地端子に接続されている。
【０００９】
上述のケーブルコネクタにおいて、プラグ側コンタクトは、複数のプラグ側コンタクトの列に対して直交する方向に一方側から他方側へ向かって順に、ケーブルの信号線に接続する接合部と、プラグ側保持部材に保持された固定部と、レセプタクル側コンタクトと接触可能な接触部とが一体に形成されており、プラグ側シールド用コンタクトは、接合部から一方側へ向かって延びる延出部を備え、この延出部がシェル部材の一方側端部に突出形成される接続片に接合されることによりケーブルのシールド線に接続されることが好ましい。
【発明の効果】
【００１０】
本発明に係るケーブルコネクタは、プラグコネクタにおける複数のプラグ側コンタクトのうちの一部をシェル部材に接続して接地用のコンタクトとして機能させ、プラグコネクタとレセプタクルコネクタとが嵌合した状態において、このプラグ側接地用コンタクトが、基板上の接地端子に接続されたレセプタクル側コンタクトに接触するようになっている。従って、レセプタクルコネクタの側においてシールド部材を別途設けることなくコンタクト同士でグランド接続が可能となり、シールド部材を設ける場合に比して部品点数の削減や小型化を図りつつも、ノイズ低減効果を十分に発揮させてコネクタの信号伝送性能を向上させることが可能になる。さらに、複数のプラグ側コンタクトのうちの一部をシェル部材に接合し、これに対応するレセプタクル側コンタクトを基板上の接地端子に接続するだけの簡便構成でグランド接続が可能であるため、近年のコネクタの小型化の傾向として、コネクタの低背設計や、コンタクトの配列ピッチの狭小化の要求に対しても、グランド接続のポイント数を十分に確保しつつ実現することができる。
【００１１】
また、プラグ側シールド用コンタクトの接合部から一方側へ向かって延びる延出部をシェル部材の一方側端部に突出形成される接続片に接合させることによりケーブルのシールド線に接続される構成とすることで、従来構成のケーブルコネクタに対してコンタクトとシェル部材の一部を変更するだけで（一部の部材選定により）適用することができるため、成形金型等を全面的に変更する必要がなくなり、従来構成と同等のコストで実現することができる。
【図面の簡単な説明】
【００１２】
【図１】本発明の一実施形態に係るケーブルコネクタを示す側断面図であり、接地用のコンタクトが接続された状態を示している。
【図２】上記ケーブルコネクタを示す側断面図であり、第１の信号ライン用のコンタクトが接続された状態を示している。
【図３】上記ケーブルコネクタを示す側断面図であり、第２の信号ライン用のコンタクトが接続された状態を示している。
【図４】上記ケーブルコネクタの要部を示す斜視図である。
【図５】プラグコネクタを示し、（ａ）は平面図（一部が平断面図）、（ｂ）は背面図である。
【図６】プラグコネクタを示し、（ａ）は正面図、（ｂ）は底面図である。
【図７】図６中の矢印VII−VIIに沿った側断面図である。
【図８】図６中の矢印VIII−VIIIに沿った側断面図である。
【図９】図６中の矢印IX−IXに沿った側断面図である。
【図１０】ケーブルアッセンブリを示し、（ａ）は平面図、（ｂ）は背面図である。
【図１１】同軸ケーブルの構造を示す斜視図である。
【図１２】シェル部材を示し、（ａ）は平面図、（ｂ）は正面図である。
【図１３】レセプタクルコネクタの平面図である。
【発明を実施するための形態】
【００１３】
以下、本発明の好ましい実施形態について図面を参照しながら説明する。本実施形態に係るケーブルコネクタを図１〜図４に示している。ケーブルコネクタ１は、複数の同軸ケーブル１１（ケーブルアッセンブリ１０）の端部に設けられたプラグコネクタ２０と、基板Ｂ上に設けられたレセプタクルコネクタ５０とから構成されており、両コネクタ２０，５０を嵌合させることにより同軸ケーブル１１と基板Ｂとを接続することができる。
【００１４】
ケーブルアッセンブリ１０は、図１０に示すように、同一平面上に配列された複数本の同軸ケーブル１１と、この同軸ケーブル１１を挟んでそれぞれ設けられた第1グランドバー１６および第２グランドバー１７とを有して構成される。
【００１５】
同軸ケーブル１１の構造を図１１に示しており、複数本の極細電線を寄り合わせて作られた芯線（信号線）１２の周囲に絶縁材料からなる内周側絶縁被覆１３（第１絶縁被覆）を設け、この内周側絶縁被覆１３の外周に複数の極細電線を横巻きに円筒状に形成してなるシールド線１４を設け、このシールド線１４の外周に絶縁材料からなる外周側絶縁被覆１５（第２絶縁被覆）を設けて同軸ケーブル１１が構成されている。また、同軸ケーブル１１の端部においては、この端部側から順に、芯線１２、内周側絶縁被覆１３、シールド線１４および外周側絶縁被覆１５がそれぞれ露出するようになっている。
【００１６】
第１グランドバー１６は、金属材料を用いて矩形板状に形成され、半田付け等により各同軸ケーブル１１に接合されるようになっている。これにより複数本の同軸ケーブル１１が第１グランバー１６の長手方向に沿って同一平面上に並設される。また、このとき同軸ケーブル１１では、露出状態にあるシールド線１４が第１グランドバー１６に（半田付けにより）接合され、シールド線１４が第１グランドバー１６と電気的に接続されるようになっている。
【００１７】
第２グランドバー１７は、金属材料を用いて第１グランドバー１６と同様の矩形板状に形成され、第１グランドバー１６とともに各同軸ケーブル１１を挟むようにして（第１グランドバー１６と略平行な向きで）、半田付けにより同軸ケーブル１１と接合されるようになっている。また、このとき第１グランドバー１６と同様に、露出状態にある同軸ケーブル１１のシールド線１４が第２グランドバー１７に（半田付けにより）接合され、第２グランドバー１７がシールド線１４を介して第１グランドバー１６と電気的に接続されるようになっている。
【００１８】
このようなケーブルアッセンブリ１０の端部に取り付けられるプラグコネクタ２０は、図５〜図９に示すように、プラグ側保持部材２１と、このプラグ側保持部材２１に保持されて同軸ケーブル１１の各々と接続した複数のプラグ側コンタクト３１，３２と、プラグ側保持部材２１の上面側を覆うようにして設けられたシェル部材４０とを主体に構成される。
【００１９】
プラグ側保持部材２１は、樹脂等の電気絶縁性材料を用いて一体成形されており、一の方向（この方向をプラグ側保持部材２１の幅（左右）方向と称する）に延びた形状を有している。プラグ側保持部材２１の上面側には、シェル部材４０の下面側との間でケーブル収容部２２が形成される。このケーブル収容部２２は、ケーブルアッセンブリ１０の第１および第２グランドバー１６，１７の形状に合わせて形成されたグランドバー収容部２３を有して構成され、このグランドバー収容部２３に第１および第２グランドバー１６，１７を収容させることにより、ケーブルアッセンブリ１０が位置決めされた状態でケーブル収容部２２に収容され、同軸ケーブル１１とプラグ側コンタクト３１，３２とが位置整合するようになっている。
【００２０】
プラグ側コンタクト３１，３２は、金属等の導電性材料からなっており、その各々がプラグ側保持部材２１と一体にインサートモールドされ、ケーブルアッセンブリ１０における同軸ケーブル１１の配列ピッチと同一のピッチでケーブル側保持部材２１の幅方向（左右方向）に整列した状態で交互に並んで配設されている。
【００２１】
第１のプラグ側コンタクト３１は、図７に示すように、同軸ケーブル１１の芯線１２が接合される半田接合部３１ａと、プラグ側保持部材２１に保持される固定部３１ｂと、レセプタクル側コンタクトと接触可能な接触部３１ｃとが一体に繋がって形成されている。プラグ側コンタクト３１の上端側は、プラグ側保持部材２１に形成されたケーブル収容部２２で露出しており、同軸ケーブル１１の芯線１２と半田付けにより接合される半田接合部３１ａが水平方向に延びて形成されている。プラグ側コンタクト２２の接触部３１ｃは、プラグ側保持部材２１の下面側に突出形成されたプラグ部２４の外周に沿うＵ字状に屈曲した形状を有しており、このプラグ部２４の下方において露出した状態となっている。
【００２２】
第２のプラグ側コンタクト３２は、図８および図９に示すように、同軸ケーブル１１の芯線１２が接合される半田接合部３２ａと、プラグ側保持部材２１に保持される固定部３２ｂと、レセプタクル側コンタクトと接触可能な接触部３２ｃとが一体に繋がって形成されている。プラグ側コンタクト３２の上端側は、ケーブル収容部２２で露出しており、同軸ケーブル１１の芯線１２と半田付けにより接合される半田接合部３２ｃが水平方向に延びて形成されている。プラグ側コンタクト３２のコンタクト部３２ｃは、プラグ側保持部材２１の下面側に突出形成されたプラグ部２５の外周に沿うＵ字状に屈曲した形状を有しており、このプラグ部２５の下方において露出した状態となっている。
【００２３】
シェル部材４０は、図１２に示すように、金属等の導電性材料を用いて略板状に形成されており、プラグ側保持部材２１の上側底面を覆うように取り付けられる。このとき、シェル部材４０の左右端部から下方に延びた先端Ｕ字状の屈曲部４１をプラグ側保持部材２１の左右端部に形成された溝（図示せず）の側へ折曲して係合させるとともに、シェル部材４０の先端部に左右一対に形成された略矩形枠状の係止部４２を下方に折曲してプラグ側保持部材２１の先端部に形成された凸状の爪部２６に係合させることで、シェル部材４０がプラグ側保持部材２１に固定される。シェル部材４０の基端側には略舌片状の４つの突出片４３が形成されており、この突出片４３に対してケーブルアッセンブリ１０のグランバー１７がそれぞれ半田付け（図５（ａ）の半田付け部４３ａを参照）により接合され、シェル部材４０がグランバー１７と電気的に接続されるようになっている。
【００２４】
また、シェル部材４０の先端側は下方に屈曲した形状を有しており、その下端側には左右方向等間隔に５つの接続片４４が下方に突出して形成されている。１５本のプラグ側コンタクト３２のうち、この接続片４４と左右方向に対応位置する５本のプラグ側コンタクト３２には、図９に示すように、半田接合部３２ａから当該接続片４４の下端部近傍まで延びた延出部３２ｄが一体に形成されており、このプラグ側コンタクト３２の延出部３２ｄと接続片４４とが半田付けにより接合されて、これら５本のプラグ側コンタクト３２とシェル部材４０とが電気的に接続されるようになっている。
【００２５】
このように同軸ケーブル１１の芯線１２に接合された１５本のプラグ側コンタクト３２のうち、シェル部材４０の接続片４４に対応して延出部３２ｄが形成された上記５本のプラグ側コンタクト３２（以降において「プラグ側コンタクト３２２」とも称する）はシェル部材４０にも接合され、延出部３２ｄが形成されていない残り１０本のプラグ側コンタクト３２（以降において「プラグ側コンタクト３２１」とも称する）はシェル部材４０には接合されていない。そのため、プラグコネクタ２０では、プラグ側コンタクト３１，３２（３２１）は信号ライン用のコンタクトとして機能し、プラグ側コンタクト３２（３２２）は接地用のコンタクトとして機能するようになっている。従って、このように構成されるプラグコネクタ２０においては、シェル部材４０に接続片４４を設け、これに対応してプラグ側コンタクト３２に延出部３２ｄを形成することで、これら接続片４４と延出部３２ｄとを接続して、複数本配設されたプラグ側コンタクト３２のうちの一部を接地用のコンタクトとして機能させることが可能である。
【００２６】
一方、レセプタクルコネクタ５０は、図１３に示すように、レセプタクル側保持部材５１と、このレセプタクル側保持部材５１に保持される複数のレセプタクル側コンタクト６１，６２とを主体に構成されている。なお、レセプタクルコネクタ５０の四隅には、このレセプタクルコネクタ５０を基板Ｂ上の所定位置に取り付けるための金属金具７０が設けられており、コンタクト２０，５０の係脱時に掛かる曲げや捻り等の負荷をこの金属金具７０で受けている。
【００２７】
レセプタクル側保持部材５１は、樹脂等の電気絶縁性材料からなっており、プラグ側保持部材２１と同様に一の方向（この方向をレセプタクル側ハウジング５１の幅（左右）方向とする）に延びた形状を有している。
【００２８】
レセプタクル側コンタクト６１，６２は、金属等の導電性材料からなっており、詳細な図示は省略するが、レセプタクル側保持部材５１に対して圧入固定され、レセプタクル側保持部材５１の幅方向に整列した状態で保持されている。
【００２９】
第１のレセプタクル側コンタクト６１は、プラグコネクタ２０におけるプラグ側コンタクト３１の配列ピッチと同一のピッチで左右方向に並んで配設されている。このレセプタクル側コンタクト６１は、図２に示すように、上下方向に延びた基部６１ａがレセプタクル側保持部材５１に設けられたコンタクト保持溝５２内に圧入保持されており、基部６１ａよりもレセプタクル側保持部材５１の外方へ延びたリード部６１ｂが基板Ｂ上の信号端子に接続される。また、基部６１ａよりもレセプタクル側保持部材５１の内方へ延びた接触部６１ｃは当該レセプタクル側保持部材５１に形成されたプラグ受容部５３の内縁に沿って、下方に窪むように屈曲して延びている。
【００３０】
一方、第２のレセプタクル側コンタクト６２は、信号ライン用の１０本のプラグ側コンタクト３２１に対応する１０本のレセプタクル側コンタクト６２１と、接地用の５本のプラグ側コンタクト３２２に対応する５本のレセプタクル側コンタクト６２２とからなり、プラグコネクタ２０におけるプラグ側コンタクト３２（３２１，３２２）の配列ピッチと同一のピッチで左右方向に並んで配設されている。
【００３１】
レセプタクル側コンタクト６２１は、図３に示すように、上下方向に延びた基部６２ａがレセプタクル側保持部材５１に設けられたコンタクト保持溝５４内に圧入保持されており、基部６２ａよりレセプタクル側保持部材５１の外方へ延びたリード部６２ｂは基板Ｂ上の信号端子に接続される。また、基部６２ａよりもレセプタクル側保持部材５１の内方へ延びた接触部６２ｃは当該レセプタクル側保持部材５１に形成されたプラグ受容部５５の内縁に沿って、下方に窪むように屈曲して延びている。
【００３２】
レセプタクル側コンタクト６２２は、図１に示すように、上下方向に延びた基部６２ａがレセプタクル側保持部材５１に設けられたコンタクト保持溝５４内に圧入保持されており、基部６２ａよりレセプタクル側保持部材５１の外方へ延びたリード部６２ｂは基板Ｂ上の接地端子に接続される。また、基部６２ａよりもレセプタクル側保持部材５１の内方へ延びた接触部６２ｃは当該レセプタクル側保持部材５１に形成されたプラグ受容部５５の内縁に沿って、下方に窪むように屈曲して延びている。
【００３３】
このように形成されるレセプタクルコネクタ５０は基板Ｂ上の所定位置に設置され、レセプタクル側コンタクト６１，６２１のリード部６１ｂ，６２ｂは基板Ｂ上の信号端子に、レセプタクル側コンタクト６２２のリード部６２ｂは基板Ｂ上の接地端子に半田付け等によって電気的に接続される。
【００３４】
以上のように構成されるケーブルコネクタ１において、プラグコネクタ２０を組み立てるには、まず、インサートモールドによりプラグ側コンタクト３１，３２が取り付けられたプラグ側保持部材２１に、ケーブルアッセンブリ１０を取り付ける。このとき、第１および第２グランドバー１６，１７をプラグ側保持部材２１のグランドバー収容部２３に収容させるとともに、同軸ケーブル１１の芯線１２を半田付けによりプラグ側コンタクト３１，３２とそれぞれ電気的に接続させる。
【００３５】
次に、ケーブルアッセンブリ１０が取り付けられたプラグ側保持部材２１に、シェル部材４０をプラグ側保持部材２１の上面側から取り付ける。このとき、シェル部材４０の左右の屈曲部４１をプラグ側保持部材２１の左右の溝（図示せず）の側へ折り曲げて係合させるとともに、シェル部材４０の係止部４２を下方へ折り曲げてプラグ側保持部材２１の爪部２６に係合させることで、シェル部材４０が第２グランドバー１７に当接された状態でプラグ側保持部材２１に固定される。シェル部材４０の突出部４３と第２グランドバー１７とは半田付けにより電気的に接続される（図５の半田付け部４３ａを参照）。
【００３６】
そして、シェル部材４０に突出形成された接続片４４とプラグ側コンタクト３２２の延出部３２ｄとをそれぞれ半田付け等により接合させる。これにより、図６（ａ）における右から３番目、６番目、９番目、１２番目、および１５番目のプラグ側コンタクト３２（３２２）がシェル部材４０（接続片４４）と繋がり、これらが接地用のコンタクトとして機能することになる。一方、１〜２番目、４〜５番目、７〜８番目、１０〜１１番目、および１３〜１４番目のプラグ側コンタクト３２（３２１）と、１〜１５番目全てのプラグ側コンタクト３１とが信号ライン用のコンタクトとして機能する。このようにしてプラグコネクタ２０が組み立てられると、このプラグコネクタ２０をレセプタクルコネクタ５０に嵌合接続させることが可能になる。
【００３７】
プラグコネクタ２０とレセプタクルコネクタ５０との嵌合は、プラグ側保持部材２１とレセプタクル側保持部材５１とを基板Ｂに対して垂直な方向に嵌合させることにより行う。具体的には、プラグ側保持部材２１に形成されたプラグ部２４，２５とレセプタクル保持部材５１に形成されたプラグ受容部５３，５５とを嵌合させる。これにより対応するプラグ側コンタクト３１，３２の接触部３１ｃ，３２ｃとレセプタクル側コンタクト６１，６２の接触部６１ｃ，６２ｃとが接触して電気的に接続される。なお、この際、レセプタクル側コンタクト６１，６２の接触部６１ｃ，６２ｃはプラグ側コンタクト３１，３２の接触部３１ｃ，３２ｃ（プラグ部２４，２５）により押し広げられる（弾性変形する）ので、プラグ側コンタクト３１，３２の接触部３１ｃ，３２ｃとレセプタクル側コンタクト６１，６２の接触部６１ｃ，６２ｃとは適度な接触圧をもって接触する。
【００３８】
このようにしてプラグ側コンタクト３１，３２とレセプタクルコンタクト６１，６２とが接触した状態となると、各同軸ケーブル１１の芯線（信号線）１２はケーブル側コンタクト３１，３２（３２１）およびレセプタクル側コンタクト６１，６２（６２１）を介して基板Ｂ上の信号端子に接続された状態となる。
【００３９】
また、レセプタクル側コンタクト６２（６２２）はそのリード部６２ｂが基板Ｂ上の接地端子に接続されているため、プラグ側コンタクト３２（３２１）とレセプタクル側コンタクト６２（６２２）とが接触した状態となると、レセプタクル側コンタクト６２２のみならずプラグ側コンタクト３２２及びシェル部材３０も接地された状態となり、プラグ側コンタクト３１，３２同士の間およびレセプタクル側コンタクト６１，６２同士の間において発生するノイズ（主に電磁波に起因するノイズ）を低減し得る電磁シールド機能を奏することができる。
【００４０】
以上のように構成されるケーブルコネクタ１では、プラグコネクタにおける複数のプラグ側コンタクトのうちの一部をシェル部材に接続して接地用のコンタクトとして機能させ、プラグコネクタとレセプタクルコネクタとが嵌合した状態において、このプラグ側コンタクトが、基板上の接地端子に接続されたレセプタクル側コンタクトに接触するようになっている。従って、レセプタクル側コネクタの側においてシールド部材を別途設けることなくコンタクト同士でグランド接続が可能となり、シールド部材を設ける場合に比して部品点数の削減や小型化を図りつつも、ノイズ低減効果を十分に得ることが可能になる。また、これによりコネクタの信号伝送性能を向上させることができる。
【００４１】
また、複数のプラグ側コンタクトのうちの一部をシェル部材に接合し、これに対応するレセプタクル側コンタクトを基板上の接地端子に接続するだけの簡便構成でグランド接続が可能であるため、近年のコネクタの小型化の傾向として、コネクタの低背設計や、コンタクトの配列ピッチの狭小化の要求に対しても、グランド接続の接続ポイント数を十分に確保しつつ実現することができる。
【００４２】
また、グランド接続用のプラグ側コンタクトとレセプタクル側コンタクトとを各保持部材の幅方向（左右方向）に均等に配列させているため、グランド接続の接続ポイント数を多点として、コネクタの端部のみならずその中間部においてもノイズを十分に低減させることができる。
【００４３】
さらに、プラグ側保持部材とレセプタクル側保持部材とが嵌合した状態において、レセプタクル側コンタクトの接触部が弾性的に撓んだ状態でプラグ側コンタクトの接触部と接触するため、両コンタクトの接続信頼性が高められ、ノイズの低減効果を十分に発揮させることができる。
【００４４】
また、プラグ側コンタクト３２２の延出部３２ｄをシェル部材４０の接続片４４に接合させることにより同軸ケーブル１１のシールド線１４に接続される構成とすることで、従来構成のケーブルコネクタに対してコンタクトとシェル部材の一部を変更するだけで適用できるため、成形金型等を全面的に変更する必要がなくなり、従来構成と同等のコストで実現することが可能になる。
【００４５】
なお、上述の実施形態におけるプラグコネクタ２０においては、プラグ側保持部材２１にプラグ側コンタクト３２２を圧入しても、シェル部材を従来構成のもの（すなわち、接続片４４が形成されていないもの）を使用することで、このコンタクト３２２が信号ライン用のコンタクトとして機能するため、従来構成のケーブルコネクタとして利用することができる。反対に、接続片４４が形成されたシェル部材４４を用いてもプラグ側コンタクト３２１（すなわち、延出部３２ｄが形成されていないコンタクト）を使用することで、従来構成のケーブルコネクタとして利用することができる。このように、ケーブルコネクタにおける構成部品の共通化を図りながらも、要求機能に応じた組み立ての自由度が向上するため、製造コストをより低減することができる。
【００４６】
これまで本発明の好ましい実施形態について説明してきたが、本発明の範囲はこれに限定されるものではない。例えば、コンタクト３１，３２，６１，６２の本数（ピン数）は、各々１５本に限らず、任意の（複数の）本数にすることが可能である。当然ながら、接地用のコンタクト３２２，６２２の本数についても各々５本に限らず、任意の本数にすることができる。
【００４７】
また、上述の実施形態において、プラグコネクタは同軸ケーブル１１の端部に取り付けられるものであったが、これに限定されるものではなく、本実施形態と同様な構成であれば一般のケーブルに対しても適用することができる。さらに、ケーブルアッセンブリに同軸ケーブルと一般のケーブルとを混在したものであってもよい。
【００４８】
また、上述の実施形態において示した両コネクタ２０，５０の各構成部品の形状等は一例に過ぎず、プラグ側保持部材２１とレセプタクル側保持部材５１とが嵌合した状態において、プラグ側コンタクト３２とレセプタクル側コンタクト６２との一部のコンタクト同士が接触することでグランド接続される構成になっているのであれば、両コネクタ２０，５０の保持部材（ハウジング）、コンタクト、シェル部材等の形状は必ずしも上述の実施形態に示したものと同一である必要はない。
【符号の説明】
【００４９】
１  ケーブルコネクタ
１０  ケーブルアッセンブリ
１１  同軸ケーブル（ケーブル）
１２  芯線（信号線）
１３  内周側絶縁被覆（第１絶縁被覆）
１４  シールド線
１５  外周側絶縁被覆（第２絶縁被覆）
２０  プラグコネクタ
２１  プラグ側保持部材
３２  プラグ側コンタクト
３２ａ  接合部
３２ｂ  固定部
３２ｃ  接触部
３２ｄ  延出部
４０  シェル部材
４４  接続片
５０  レセプタクルコネクタ
５１  レセプタクル側保持部材
６２  レセプタクル側コンタクト
３２１  プラグ側コンタクト（プラグ側信号用コンタクト）
３２２  プラグ側コンタクト（プラグ側接地用コンタクト）
６２１  レセプタクル側コンタクト（レセプタクル側信号用コンタクト）
６２２  レセプタクル側コンタクト（レセプタクル側接地用コンタクト）
【図１】
2012114044.tif 000003
【図２】
2012114044.tif 000004
【図３】
2012114044.tif 000005
【図４】
2012114044.tif 000006
【図５】
2012114044.tif 000007
【図６】
2012114044.tif 000008
【図７】
2012114044.tif 000009
【図８】
2012114044.tif 000010
【図９】
2012114044.tif 000011
【図１０】
2012114044.tif 000012
【図１１】
2012114044.tif 000013
【図１２】
2012114044.tif 000014
【図１３】
2012114044.tif 000015